(57)【要約】【課題】  ワイヤドラム式レギュレータのワイヤドラムにワイヤを巻掛ける作業をスムーズに行えるようにする。【解決手段】  ドラムハウジング１６の収納部にワイヤドラム１３を収納し、収納部の円筒形内壁１７でワイヤドラム周面のワイヤ溝２０に巻回したワイヤ５（６）を溝跳び不能に拘束する構成とし、収納部の円筒形内壁１７をワイヤドラム１３の最も前面側のワイヤ溝２０の位置で、閉じ側引出路１８の端部を起点として巻き込み方向へ、閉じ側ワイヤ５のほぼ半周回分だけ、ワイヤドラム周面からワイヤ５を脱着できる間隔の装着間隙２３を設ける。【選択図】  図７
2014177836.tif 000002
【特許請求の範囲】
【請求項１】
ワイヤドラムを駆動して、ワイヤドラムに巻掛けた閉じ側ワイヤと開き側ワイヤを、同時に一方を巻き込み、他方を巻き戻すことにより窓ガラスを開閉するワイヤドラム式ウインドウレギュレータであって、
ベースプレートとワイヤドラム及び閉じ側ワイヤと開き側ワイヤを備え、
ベースプレートは、閉じ側ワイヤ引出路と開き側ワイヤ引出路及びドラムハウジングを備え、
ドラムハウジングは短円筒形の収納部を有し、この収納部には前記閉じ側及び開き側の引出路の端部がそれぞれ連通しており、
ワイヤドラムは前面と後面及び周面を備えた短円筒形であり、前面に閉じ側ワイヤのワイヤエンドを係合する閉じ側エンド受け部と後面に開き側ワイヤのワイヤエンドを係合する開き側エンド受け部を有すると共に、円筒周面に後面から前面へらせんに周回して後面側端部が前記の開き側エンド受け部に連通し、前面側端部が前記の閉じ側エンド受け部に連通したワイヤを巻掛けるワイヤ溝が形成されており、
ドラムハウジングの収納部にワイヤドラムを収納し、収納部の円筒形内壁でワイヤドラム周面のワイヤ溝に巻回したワイヤを溝跳び不能に拘束する構成において、
収納部の円筒形内壁をワイヤドラムの最も前面側のワイヤ溝の位置で、閉じ側引出路の端部を起点として巻き込み方向へ、閉じ側ワイヤのほぼ半周回分だけ、ワイヤドラム周面からワイヤを脱着できる間隔の装着間隙を取って、形成してあることを特徴としたワイヤドラム式ウインドウレギュレータ。
【請求項２】
装着間隙の起点は、閉じ側引出路の端部から周回方向へわずかに離れた位置であることを特徴とした請求項１に記載のワイヤドラム式ウインドウレギュレータ。
【発明の詳細な説明】
【技術分野】
【０００１】
窓ガラスを上下移動させるワイヤドラム式のウインドウレギュレータに関する。主として自動車の窓を開閉するために用いられる。
【背景技術】
【０００２】
ワイヤドラム式のウインドウレギュレータは、円筒形の収納空間を有するベースプレートにワイヤドラムを納め、このワイヤドラムを駆動装置で駆動回転することにより、ワイヤドラムに巻き掛けたワイヤを一方で巻取り、他方で巻き戻す。一方、ガイドレールにキャリアプレートが案内されており、前記のワイヤによって上下にスライド移動される。キャリアプレートには窓ガラスの下辺が載置固定されているので、キャリアプレートの上下移動により窓が開閉する。
【０００３】
ワイヤドラム式のウインドウレギュレータを用いた窓開閉装置は種々なタイプがある。
例えば、特許文献１のウインドウレギュレータでは（概略を図９，１０に示している）、ガイドレール（２）にブラケット（３）（キャリアプレート）がスライド可能に装着されるとともに、ガイドレール下部にワイヤドラム（５）が、また、ガイドレール（２）の上部にガイドプーリ（１）が配置されている（なお、図１０〔イ〕ではドラムカバーを取外してある）。ワイヤ（４ａ）（閉じ側ワイヤ４ａ）は一端（ドラム側端部）がワイヤドラム（５）に係合固定され、他端（キャリアプレート側端部）が上部のガイドプーリ（１）を巻回してブラケット（３）に係合固定されている。ワイヤ（４ｂ）（開き用ワイヤ４ｂ）は一端がブラケット（３）に係合固定され、他端がワイヤドラム（５）に数回巻回した後ドラムに係合固定されている。
【０００４】
符号（６）はベースプレートであり、モータ（７）と減速部（１７）を支持している。そして、モータ（７）によって減速部（１７）を経てワイヤドラム（５）が駆動回転されると、ワイヤ（４）が一方で巻取り、他方で巻き戻すためにブラケット（３）がガイドレール（２）を上下に移動する。
図９，１０のように、ワイヤ（４ａ）がワイヤドラム（５）に巻き込まれるとブラケット（３）が上昇して窓が閉じられるので、ワイヤ（４ａ）を閉じ側ワイヤ（４ａ）と呼び、同じ理由でワイヤ（４ｂ）を開き側ワイヤ（４ｂ）と呼ぶことにする。
【０００５】
特許文献２のウインドウレギュレータでは、上下方向に配置したガイドレール（３）（符号は特許文献２の図に使用されているもの）にキャリアプレート（２）が案内され、キャリアプレート（２）と上下のワイヤガイド（４，５）（プーリー）に掛けまわした２本のワイヤ（１０，１１）の一端がそれぞれキャリアプレート（２）に係合固定されている。  
また、２本のワイヤの他端はそれぞれドラム（８）に巻回された後にドラム（８）に係合固定されている。ドラム（８）はハウジング（７）に支持され駆動部（９）により回転駆動される。ハウジング（７）はガイドレール（３）の中間部に取り付けられている。
【０００６】
特許文献３のウインドウレギュレータでは、一対のガイドレール（１）（符号は特許文献３に使用されているもの）と電動モータの出力軸に連絡されたワイヤドラム（２）と、ワイヤドラム（２）に巻き回され、ガイドレール（１）の上下端部に設置したガイドプーリ（３）間に交差して架設されたワイヤ（４）とガイドレール（１）に摺動自在に装着し、ウインドウガラスの下部に固定されたキャリアプレート（５）を備える。
【先行技術文献】
【特許文献】
【０００７】
【特許文献１】特開２００７−２０５１１８号公報
【特許文献２】特開２０１２−２５１３０８号公報
【特許文献３】特開２０１０−１５０７６３号公報
【発明の概要】
【発明が解決しようとする課題】
【０００８】
例示した特許文献１のワイヤドラム式レギュレータ（図９，１０）では、ワイヤドラム（５）に閉じ側及び開き側のワイヤ（４ａ，４ｂ）が巻き付けられ、これらのドラム側端部をワイヤドラム（５）に係合固定した状態で、ワイヤドラム（５）の全体をベースプレート（６）の円筒形をしたドラムハウジング（１０１）に納めている（図１０）。
ワイヤドラム（５）をベースプレート（６）の収納部（１００）に納めるには、まず、開き側ワイヤ（４ｂ）のドラム側端部をワイヤドラム（５）の後面に係合固定した後、ワイヤドラム（５）のドラム軸中央部から後面側へ数回巻き付け、その導出側をベースプレート（６）に設けた開き側引出路（１０１ｂ）へ通し、その開き側端部をキャリアプレート（３）に係合固定する。
【０００９】
ついで、閉じ側ワイヤ（４ａ）を次のように取り付ける。閉じ側ワイヤ（４ａ）のキャリアプレート側端部をキャリアプレート（２）に係合固定し、ドラム側端部をガイドレール（２）上端のガイドプーリ（１）に巻回させて、そのドラム側端部をワイヤドラム（５）に係合固定する。ワイヤドラム（５）に対して閉じ側ワイヤ（４ａ）のワイヤドラム側の部分は、ベースプレート（６）の閉じ側導出路（１０１ａ）に沿わせてワイヤドラムの周面に誘導し、さらにワイヤドラム（５）の前面に形成してある閉じ側エンド受け部（１０２ａ）へ、閉じ側案内路（１０３ａ）に沿って案内され、ワイヤエンドを前記の閉じ側エンド受け部（１０２ａ）に嵌め込んで係合する。
【００１０】
この際、閉じ側ワイヤ（４ａ）のドラム側ワイヤ端部は、ワイヤドラム（５）をドラムハウジング（１０１）にほぼ収めた状態でワイヤエンドを前面側のワイヤエンド受け部（１０２ａ）に収め、そこから一定長さのワイヤ部分を、閉じ側案内路（１０３ａ）を経てワイヤドラム（５）周面の巻き掛け溝（１０４）に巻きかけ、さらに閉じ側導出路（１０１ａ）へと誘導して取り付けるのであるが、この作業はワイヤドラム（５）の周面とドラムハウジング（１０１）の内周面とが近接しているために、前記の閉じ側案内路（１０３ａ）を経てワイヤエンド受け部（１０２ａ）からワイヤドラム（５）の周面へワイヤ（４ａ）の端部を装着できる範囲は、閉じ側案内路（１０３ａ）の出口と閉じ側導出路（１０１ａ）のドラム側端部とが連通している付近しかなく（図１０に鎖線で示している）、非常に狭い。
【００１１】
このため、閉じ側ワイヤ（４ａ）のドラム側端部をベースプレート（６）へ装着する際には、ドラムハウジング（１０１）とワイヤドラム（５）との位置合わせをある程度正確に行い、その位置を維持しながら進めるという作業になり、ワイヤドラム（５）を手で回して位置あわせをするなど、ワイヤ取り付け作業をスムーズに行いにくい困難がある。
この発明は、ウインドウレギュレータの組立に際してこのような作業上の困難を解決することを課題とする。
【課題を解決するための手段】
【００１２】
ワイヤドラムを駆動して、ワイヤドラムに巻掛けた閉じ側ワイヤと開き側ワイヤを、同時に一方を巻き込み、他方を巻き戻すことにより窓ガラスを開閉するワイヤドラム式ウインドウレギュレータであって、次の構成を備えたものとする。
ベースプレートとワイヤドラム及び閉じ側ワイヤと開き側ワイヤを備える。
ベースプレートは、閉じ側ワイヤ引出路と開き側ワイヤ引出路及びドラムハウジングを備える。
ドラムハウジングは短円筒形の収納部を有し、この収納部には前記閉じ側及び開き側の引出路の端部がそれぞれ連通する。
【００１３】
ワイヤドラムは前面と後面及び周面を備えた短円筒形である。ワイヤドラムの前面に閉じ側ワイヤのワイヤエンドを係合する閉じ側エンド受け部を設け、後面に開き側ワイヤのワイヤエンドを係合する開き側エンド受け部を設ける。
また、ワイヤドラムには、円筒周面に後面から前面へらせんに周回して後面側端部が前記の開き側エンド受け部に連通し、前面側端部が前記の閉じ側エンド受け部に連通したワイヤを巻掛けるワイヤ溝が形成されている。
【００１４】
ドラムハウジングの収納部にワイヤドラムを収納する。これにより、収納部の円筒形内壁でワイヤドラム周面のワイヤ溝に巻回したワイヤが溝跳び不能に拘束される。
そして、収納部の円筒形内壁を、ワイヤドラムの最も前面側のワイヤ溝の位置で、閉じ側引出路の端部を起点として巻き込み方向へ、閉じ側ワイヤのほぼ半周回分だけ、ワイヤドラム周面からワイヤを脱着できる間隔の装着間隙を取って形成する。
装着間隙の起点を、閉じ側引出路の端部から周回方向へわずかに離れた位置とすることがある。
【発明の効果】
【００１５】
ベースプレートの円筒形内壁（収納部）を有するドラムハウジングにワイヤドラムを収納した状態でも、ワイヤドラムの前面において円筒形内壁とワイヤドラム周面との間に、閉じ側引出路の端部を起点として巻き込み方向へ、閉じ側ワイヤのほぼ半周回分にわたり、ワイヤドラム周面からワイヤを脱着できる間隔の装着間隙が存在するので、閉じ側ワイヤの端部をワイヤドラムに装着するとき、ベースプレートの閉じ側引出路の端部を起点として巻き込み方向へ、閉じ側ワイヤのほぼ半周回分のあいだで装着作業を行えばよく、ベースプレートに対するワイヤドラムの回転位置を定めて作業するなど、作業上の窮屈さから解放される。
【００１６】
また、装着間隙の起点を、閉じ側引出路の端部から周回方向へわずかに離れた位置にすると、この間が装着間隙を塞いでしまうので、閉じ側ワイヤをワイヤドラムに取付けるとき、閉じ側ワイヤをワイヤドラムに軽く巻き付けた状態でワイヤドラムをベースプレートへ装着する必要があるが、しかし一度ワイヤドラムをベースプレートに装着してしまうと、閉じ側ワイヤは閉じ側引出路の端部から周回方向へわずかに離れた位置までのドラムハウジング（円筒形内周壁）によって脱落が防止される（仮止め部）ので、ワイヤエンドをエンド受け部に係合しやすい利点がある。
【図面の簡単な説明】
【００１７】
【図１】ウインドウレギュレータの全体を示した斜視図。
【図２】キャリアプレートの前面側から見た斜視図。
【図３】キャリアプレートの後面側から見た斜視図。
【図４】ワイヤ駆動部を分解して示した斜視図。
【図５】ドラムハウジングの円筒形内壁を示すための前面左方からの斜視図。
【図６】ワイヤの張り巡らしを機構的に示した正面図。
【図７】ワイヤ駆動部の正面図。
【図８】ワイヤ駆動部の正面図（他の例）。
【図９】ウインドウレギュレータの正面図（従来例）。
【図１０】〔イ〕はワイヤ駆動部の正面図、〔ロ〕はワイヤドラム部分の斜視図（従来例）。
【発明を実施するための形態】
【００１８】
図１は、本願の発明による自動車用ウインドウレギュレータの一実施例を示したものである。
このウインドウレギュレータ１は、自動車のドアパネル内に納められており、ガイドレール２、キャリアプレート３、ワイヤ駆動装置４及び閉じ側ワイヤ５と開き側ワイヤ６を備える。符号７はプーリーであり、ガイドレール２の上端部に軸支されている。符号８はワイヤガイドであり、ワイヤ５が移動するときの振れを抑制する。
【００１９】
ガイドレール２は横断面をコ字形とした頑丈な鋼板の成形品である。
キャリアプレート３は窓ガラスの下辺を支持する部材であり、ガイドレール２に案内されて上下方向に移動可能とされている。キャリアプレート３はガイドレール側に閉じ側エンド受け部９ｂと開き側エンド受け部１０ｂを有する。閉じ側エンド受け部９ｂは下方に開口しており、開き側エンド受け部１０ｂは上方に開口している（図２，３）。
【００２０】
ワイヤ駆動装置４はベースプレート１１と駆動部材１２からなる。駆動部材１２はワイヤドラム１３及びモータ１４や減速機１５を備える。モータ１４は減速機１５を介してワイヤドラム１３を正逆に駆動回転する。
閉じ側ワイヤ５の両端にはワイヤエンド５ａ，５ｂが取り付けられており、開き側ワイヤ６の両端にはワイヤエンド６ａ，６ｂが取り付けられている（図６）。
【００２１】
ベースプレート１１はワイヤドラム１３を収納するためのドラムハウジング１６とドラムハウジング１６から閉じ側ワイヤ５を引き出すための閉じ側引出路１８、および開き側ワイヤ６を引き出すための開き側引出路１９を備える。ドラムハウジング１６は、円筒形内壁１７を有して前面側が開放された短円筒形の収容空間を有する（図４，５）。
ワイヤドラム１３は短円筒形で、基本的に前記ドラムハウジング１６の円筒形内壁１７が形成する空間へぴったりと嵌め込むことができる。
【００２２】
ワイヤドラム１３の前面には閉じ側エンド受け部９ａが形成され、後面には開き側エンド受け部１０ａが形成される。ワイヤドラム１３の円筒周面にはワイヤを巻掛けるためのワイヤ溝２０が後面側から前面側へらせんに形成されている（図４）。閉じ側エンド受け部９ａは閉じ側案内路２１を有してワイヤ溝２０と連通し、開き側エンド受け部１０ａは開き側案内路２２を有してワイヤ溝２０と連通している。ワイヤドラム１３の正面視（前面）と背面視（後面）は対照に現れる。
【００２３】
前記ドラムハウジング１６の円筒形内壁１７は、通常、ワイヤドラム１３が収納されるとその周面と嵌りあい、ワイヤドラム１３の周面と円筒形内壁１７とが基本的に近接して、ワイヤ５（６）の溝跳びが防止される構造となっている。すなわち、ドラムハウジング１６の収納部へワイヤドラム１３を嵌め込んだ後では、ワイヤドラム１３と円筒形内壁１７間のクリアランスが狭く、ワイヤ５（６）を側方からワイヤ溝２０へ巻掛けることはできない。
しかし、この発明では、前記収納部の円筒形内壁１７をワイヤドラム１３の最も前面側のワイヤ溝２０の位置で、閉じ側引出路１８の端部を起点として巻き込み方向（図７において矢印Ａ方向）へ、閉じ側ワイヤ５のほぼ半周回分だけ、ワイヤドラム１３の周面からワイヤ５を脱着できる間隔の装着間隙２３を取って、形成してある(図４，５，７）。
【００２４】
装着間隙２３は、この実施例において、ドラムハウジング１６の円筒形内壁１７の最も前面側となる個所を内面から外面側へ刻み込んで成形した薄肉部２４で形成されている。薄肉部２４の始点は閉じ側引出路１８のワイヤドラム１３側の端部であり、そこから巻き込み方向へほぼ半周回分形成され、薄肉部２４の前後方向の幅Ｂは、らせん状のワイヤ溝２０の１/２ピッチほどであり、薄肉とされている部分の内周面からの深さＣはワイヤ５の直径よりもわずかに大きな程度としてある。したがって、ドラムハウジング１６にワイヤドラム１３を装着すると、ワイヤドラム１３の最も前面側のワイヤ溝の位置で、閉じ側引出路１８の端部を起点として巻き込み方向へ、閉じ側ワイヤ５のほぼ半周回分だけ、ワイヤドラム周面からワイヤ５を脱着できる間隔の装着間隙２３が形成される。
なお、図８は、装着間隙２３の他の例を示したもので、装着間隙２３の起点は、閉じ側引出路１８の端部から周回方向へわずかに離れた位置とされ、この間が仮止め部２５となっている。
【００２５】
ウインドウレギュレータ１の閉じ側ワイヤ５と開き側ワイヤ６は、ワイヤ駆動装置４が組み付けられる前の、ベースプレート１１とワイヤドラム１３および駆動部材１２が分離されている状態において、次のように装着される。
まず、ワイヤドラム１３に開き側ワイヤ６のドラム側ワイヤエンド６ａを後面の閉じ側ワイヤエンド受け部９ｂに係合して開き側ワイヤ６をワイヤ溝２０に２周分ほど巻き付け、その状態を保ったままワイヤドラム１３を、ドラムハウジング１６の円筒形内壁１７が作る空間（収納部）へ、ワイヤ６のキャリアプレート側を開き側案内路２２及びベースプレート１１の開き側引出路１９に嵌め込み、収納する。
【００２６】
ついで、閉じ側ワイヤ５のドラム側ワイヤエンド５ａをワイヤドラム１３の前面に設けてある閉じ側エンド受け部９ａに係合させ、ワイヤ５の端部付近を閉じ側案内路２１に沿わせ、さらに、装着間隙２３を利用してワイヤドラム１３の最も前面側のワイヤ溝２０に沿わせ、キャリアプレート側を閉じ側引出路１８から外部へ導出させる。
そして、ベースプレート１１に駆動部材１２を取付け、ワイヤドラム１３の前面を閉鎖する。
これによって、ワイヤ５，６はワイヤドラム１３に巻掛けられワイヤ駆動装置４に装着される。
【００２７】
ワイヤ駆動装置４から導出されている閉じ側ワイヤ５のキャリアプレート側は、上方に延びてガイドレール２上端部のプーリー７を巻回させて下方へ向かわせ、下端のキャリア側のワイヤエンド５ｂをキャリアプレート３のキャリアプレート側閉じ側エンド受け部９ｂに下側から係合させる。同様に、ワイヤ駆動装置４から導出されている開き側ワイヤ６のキャリアプレート側は、キャリアプレート３のキャリアプレート側開き側エンド受け部１０ｂに上側から係合させる。そして、閉じ側ワイヤ５のベースプレート１１とプーリー７間の中間にワイヤガイド８に案内させる。プーリー７の上下位置を調整したり、ワイヤガイド８によって閉じ側及び開き側ワイヤ５，６の弛みを解消する。
【００２８】
そして、モータ１４を駆動し、ワイヤドラム１３を閉じ方向に駆動回転すると、閉じ側ワイヤ５が巻き取られると共に開き側ワイヤ６が巻戻されてキャリアプレート３がガイドレール２に沿って上昇し、窓のガラスが閉じられる。逆に、ワイヤドラム１３が開き方向に駆動回転すると、開き側ワイヤ６がワイヤドラム１３に巻き取られ、閉じ側ワイヤ５が巻き戻されてキャリアプレート３が下降し、窓のガラスが開かれる。
【００２９】
前記の他の例（図８）の場合は、装着間隙２３の起点が閉じ側引出路１８の端部から周回方向へわずかに離れた位置となっており、この間が仮止め部２５になっているので、
装着間隙２３が有っても、ワイヤドラム１３をドラムハウジング１６の収容部へ完全に嵌め込んだ後では、ワイヤドラム前面の閉じ側エンド受け部９ａ（図８）に係合させた閉じ側ワイヤ５の端部分を装着間隙２３から仮止め部２５を越えて閉じ側引出路へ誘導することができない。このため、この例の場合は、ワイヤドラム１３をドラムハウジング１６の収納部へ完全に納めてしまう前に、仮止め部２５に対応する箇所の閉じ側ワイヤ５をワイヤドラム１３の巻掛け溝に嵌め込んでおく。そして、この状態のままでワイヤドラム全体をドラムハウジング１６の収納部へ納める。
【００３０】
このようにすると、ワイヤドラム１３を納める際に多少の手間を要するものの、ワイヤドラム１３を収納部へ納めた後は、駆動部材１２を取り付ける作業の間、閉じ側ワイヤ５が仮止め部２５で抜け止めされ、仮止めされた状態となっており、ワイヤ駆動装置４を組み立てる作業をスムーズに行える。
【００３１】
以上、自動車用のウインドウレギュレータの一態様を実施例として説明したが、本願の発明は自動車用に限らず、窓を開閉するためにワイヤドラムと閉じ側及び開き側のワイヤを用いるウインドウレギュレータ一般に使用することができる。
説明において用いた前・後、上・下の方向性はウインドウレギュレータの配置によって変わる相対的なものである。
ガイドレールに対しワイヤ駆動装置の配置はガイドレールの下端部に限らず、ガイドレールの中央部に配置されることもある。
【符号の説明】
【００３２】
１  ウインドウレギュレータ
２  ガイドレール
３  キャリアプレート
４  ワイヤ駆動装置
５  閉じ側ワイヤ
５ａ  ドラム側ワイヤエンド
５ｂ  キャリア側ワイヤエンド
６  開き側ワイヤ
６ａ  ドラム側ワイヤエンド
６ｂ  キャリア側ワイヤエンド
７  プーリー
８  ワイヤガイド
９ａ  閉じ側エンド受け部（ドラム側）
９ｂ  閉じ側エンド受け部（キャリア側）
１０ａ  開き側エンド受け部（ドラム側）
１０ｂ  開き側エンド受け部（キャリア側）
１１  ベースプレート
１２  駆動部材
１３  ワイヤドラム
１４  モータ
１５  減速機
１６  ドラムハウジング
１７  円筒形内壁
１８  閉じ側引出路
１９  開き側引出路
２０  ワイヤ溝
２１  閉じ側案内路
２２  開き側案内路
２３  装着間隙
２４  薄肉部
２５  仮止め部
【図１】
2014177836.tif 000003
【図２】
2014177836.tif 000004
【図３】
2014177836.tif 000005
【図４】
2014177836.tif 000006
【図５】
2014177836.tif 000007
【図６】
2014177836.tif 000008
【図７】
2014177836.tif 000009
【図８】
2014177836.tif 000010
【図９】
2014177836.tif 000011
【図１０】
2014177836.tif 000012